(57)【特許請求の範囲】
【請求項１】
基部において一体で且つ互いに平行に対面する一対の主体部を形成した略逆Ｕ字状の一体構造を有すると共に、前記一対の主体部が重なる方向の平面視で主体部の基部から主体部開放方向に向けて前記基部で連通する略Ｕ字状の切り欠き部が形成されている金具本体と、前記切欠き部の底部に固定対象の鉄筋を挿入載置した状態で、該鉄筋と前記基部の内面との間に金具本体の一端縁側から挿入、打ち込まれて前記鉄筋を金具本体に挟持固定する楔部材と、を備え、前記金具本体の基部には、他の金属部材の一部を溶接固定するための溶接用片部が設けられており、該溶接用片部は、前記金具本体の切り欠き部を形成するために切り取られる金属片を一部残して折り曲げにより形成されていることを特徴とするコンクリート型枠用根止め金具。
【請求項２】
前記楔部材は、打ち込み用工具による衝撃を受けるべき尾端縁に対して金具本体の内面に接する一方の長手縁が直角を成すと共に鉄筋に接する他方の長手縁が鋭角を成していることを特徴とする請求項１に記載のコンクリート型枠用根止め金具。
【発明の詳細な説明】
【０００１】
【発明の属する技術分野】
本発明は、コンクリート型枠用の根止め金具に関するものである。
【０００２】
【従来の技術】
コンクリート壁やコンクリート柱等の各種コンクリート構造物を構築する際には、まず鋳型となるコンクリート型枠を組み立てておき、その型枠内にコンクリートを打設してコンクリートの養生後に型枠を解体、取り外している。このコンクリート型枠の組立固定は、通常、既設のコンクリートスラブから突出している鉄筋を利用し、この鉄筋と型枠との間に根止め金具を介在させて両者を固定することによって行われている。
【０００３】
即ち、根止め金具は、鉄筋を挟持して固定されると共に、金具本体に棒状あるいは管状のセパレータの一端部が取付けられており、このセパレータの他端部に螺合されたコーン先端から突出するボルトを型枠の下方の所定高さに設けられたボルト貫通孔に貫通させ、コーン位置を所定の型枠間隔になるよう調整することにより、型枠の位置決めが行われる。
【０００４】
この位置決めの後、ボルト貫通孔から突出したコーン先端のボルトに、型枠の外側から型枠締付金具をねじ込んで固定すれば、鉄筋に固定された根止め金具に型枠が固定される。このように、各型枠をそれぞれ互いに所定間隔となるように根止め金具を介して鉄筋に固定することにより、型枠が組み立てられる。
【０００５】
【発明が解決しようとする課題】
従来から用いられている根止め金具としては、金具本体が鉄筋に固定される一方で金具本体にはセパレータの一端部の雄ねじ部が螺合する雌ねじ穴を持つナット部材が溶接固定されていたり、あるいは金具本体に直接ねじ穴が形成されており、このねじ穴にセパレータの雄ねじ部をねじ込むことによってセパレータが取り付けられるタイプのものが、セパレータ装着が簡便なものとして一般的となってきている。
【０００６】
一方、コンクリート型枠の組立においてはセパレータだけでなく様々な金属部材が用いられるが、上記の如き従来の根止め金具では、金具本体に溶接固定されてされているナット部材や直接形成されているねじ穴に螺合する雄ねじ部を持つ特定のセパレータに限って取り付けることができるものであり、他の金属部材の取り付けに対応することはできなかった。
【０００７】
本発明の目的は、上記問題点に鑑み、鉄筋への装着が容易で簡便な構成でありながら、セパレータに限らず他の各種金属部材の取り付けに対応可能なコンクリート型枠用根止め金具を提供することにある。
【０００８】
【課題を解決するための手段】
上記目的を達成するため、請求項１に記載の発明に係るコンクリート型枠用根止め金具は、基部において一体で且つ互いに平行に対面する一対の主体部を形成した略逆Ｕ字状の一体構造を有すると共に、前記一対の主体部が重なる方向の平面視で主体部の基部から主体部開放方向に向けて前記基部で連通する略Ｕ字状の切り欠き部が形成されている金具本体と、前記切欠き部の底部に固定対象の鉄筋を挿入載置した状態で、該鉄筋と前記基部の内面との間に金具本体の一端縁側から挿入、打ち込まれて前記鉄筋を金具本体に挟持固定する楔部材と、を備え、前記金具本体の基部には、他の金属部材の一部を溶接固定するための溶接用片部が設けられており、該溶接用片部は、前記金具本体の切り欠き部を形成するために切り取られる金属片を一部残して折り曲げにより形成されているものである。
【０００９】
また、請求項２に記載の発明に係るコンクリート型枠用根止め金具は、請求項１に記載のコンクリート型枠用根止め金具において、前記楔部材は、打ち込み用工具による衝撃を受けるべき尾端縁に対して金具本体の内面に接する一方の長手縁が直角を成すと共に鉄筋に接する他方の長手縁が鋭角を成していることを特徴とするものである。
【００１０】
本発明のコンクリート型枠用根止め金具は、基部において一体で互いに平行に対面する一対の主体部を形成した略逆Ｕ状の一体構造を有する金具本体の前記主体部に、鉄筋挟持部としての略Ｕ字状の切欠き部を基部から主体部開放方向に向けて形成したものであり、この両切欠き部が連通する基部から切欠き部の底部に鉄筋を挿入載置し、載置状態の鉄筋から金具本体の基部内面との間に楔部材を挿入して打ち込むという簡単な操作によって鉄筋を金具本体の切欠き部の底部との間に挟持し、根止め金具を鉄筋に容易に固定することができるものである。
【００１１】
また本発明においては、金具本体の基部には、該基部における前記切欠き部の縁部に残された主体部と一体の金属片部の折り曲げにより形成された溶接用片部が設けられており、この溶接固定用片部に一部を溶接固定することによって他の金属部材を取り付けることができるものである。
【００１２】
従って、この溶接用片部に溶接可能なものであれば限定された部品ではなく様々な金属部品あるいは部品取り付け用ナット部材等を金具本体に固定することができるため、本発明の根止め金具は、セパレータはもちろんコンクリート型枠の組立において必要とされる各種部品の取り付けに対応することができる。
【００１３】
しかもこの溶接用片部は、金具本体の成型の際に鉄筋挟持部となる切欠き部を形成するために切り取られる金属片を一部残すことによって設けることができるため、セパレータ等の金属部品の固定専用部としての新たな設計や製造工程をほとんど必要とせず容易に成型することができ、金具本体の大型化や部品点数の増加を生じることなく簡便な構成であると共に低コストで製造できる。
【００１４】
さらに、このように各種部品の取り付けに対応して使用できる本発明の根止め金具は、金具自体を様々な状況で共通に使用できることからも、製品の量産に適しており、部材の製造から保管管理、搬送、現場の使用に亘って、取り扱いが非常に簡便なものである。
【００１５】
なお、上記のような溶接用片部を備えた本発明の根止め金具の構成は、金具本体の主体部に予め所定セパレータのねじ込み用のねじ穴が形成されたものにおいても有効である。即ち、例えばセパレータの取り付けにおいて、主体部側のねじ穴を用いるか溶接用片部を用いるかを状況に応じて選択できるので、部材の取り付け位置の選択範囲が広がり、より作業がし易い方、あるいは型枠組立に望ましい方を適宜選択することができる。
【００１６】
さらに、本発明の根止め金具の金具本体は、基部の前記溶接用片部が設けられている側に対して切欠き部をはさんで反対側の領域を利用することもできる。即ち、この基部表面領域上に種々の金属部品を溶接固定できるので、例えば、前記溶接用片部に他の金属部品を取り付けて、該基部表面上にナット部材を溶接してセパレータを取り付けることができる。しかも、この領域では取り付け向きがほぼ全周方向に亘って自由に選択できるため、金具本体の主体部に形成したねじ穴や前記溶接片部を利用した場合には金具本体が固定される鉄筋と平行な向きでセパレータが取り付けられるのに対して、鉄筋と直行する方向へのセパレータ取り付けも可能となる。
【００１７】
また、本発明の根止め金具の楔部材は、前記切欠き部の底部に載置状態にある鉄筋と金具本体の基部内面との間に挿入されて鉄筋を下方に押圧することにより挟持固定するものであるため、楔部材の形状としては、一方の長手縁が金具本体の基部内面に接しながら挿入できるように、打ち込み用工具による衝撃を受けるべき尾端縁に対して基部内面に接する一方の長手縁が直角を成すと共に、鉄筋に接する他方の長手縁が鋭角を成す形状とすれば良い。
【００１８】
即ち、この楔部材は、正面側（一対の主体部が重なる方向）から見た平面形状が略直角三角形となれば良い。従って、このような楔部材の構成としては、略直角三角形状の金属平板であっても良い。しかしながら、楔部材は、鉄筋との押圧接触において固定状態が緩まないように鉄筋に対してその軸方向に位置ズレし難く、両部材同士が引っ掛かりやすい形状とすることが好ましい。
【００１９】
一般的には、表面に均一なピッチで凸部が形成されている異形鉄筋が多く使用されていることから、楔部材の鉄筋に接触する端面が、この鉄筋表面の凸部間に嵌って鉄筋軸方向に沿った外力が金具本体に作用しても凸部で引っ掛かってその移動を規制できる形状であることが望ましい。
【００２０】
上記の平板状の楔部材でも、鉄筋に接する長手縁の端部が鉄筋表面の凸部に引っ掛かることはあるが、位置ズレすることなく凸部に引っ掛かるには、ほぼ凸部同士間隔に相当する厚みが必要となる。もしくは、楔部材を、金具本体の基部内部に嵌合するような側断面形状において互いに対面する一対の鉄筋押さえ部を形成する逆Ｕ字状に形成し、この一対の鉄筋押さえ部の開放側端辺で鉄筋を押圧する構成が好適である。この場合、両鉄筋押さえ部の間隔を、鉄筋の凸部のピッチに応じて適当な距離に設定しておけば、両押さえ部の開放側端部がそれぞれ楔部材の挿入打ち込みに伴って所定位置の鉄筋凸部間の凹部に落ち込み、挟持固定状態では前記凸部と鉄筋押さえ部の開放側端部とが互いに引っ掛かって、鉄筋に対する金具本体の移動が規制され、根止め金具が緩んで鉄筋から外れることを防止する。この即断面逆Ｕ字形状の楔部材は、金具本体と同様に所定形状の金属平板からプレス加工での一工程で容易に製造できる。
【００２１】
また、金具本体は、前記溶接用片部を除く本体形状を、一対の主体部が重なる方向の平面視で切欠き部が一対の主体部の中央に位置する左右対称形状とし、金具本体の両側端縁のいずれの側からも楔部材を挿入、打ち込める構成とすることがより望ましい。これにより、作業者は鉄筋の金具固定部位の状況に応じて、作業し易い方向から楔部材を打ち込むことができるため、根止め金具の鉄筋への固定作業が容易となる。
【００２２】
なお径の異なる鉄筋に対しては、楔部材の前記打ち込み衝撃を受ける尾端縁の長さ寸法を変更して鉄筋に接する側の長手縁の長手縁に対する鋭角度を変えれば、金具本体は同一形状のもので対応することができる。例えば、現状では、外径１３ｍｍ、１６ｍｍの２種の鉄筋が一般的に広く用いられているため、予め、これら両サイズの鉄筋用に尾端縁の長さの異なる２種の楔部材を用意しておけば良い。
【００２３】
【発明の実施の形態】
本発明の一実施形態としてのコンクリート型枠用根止め金具を、図示の実施態様と共に以下に説明する。図１は、本実施形態による根止め金具の全体構成を示す概略斜視図であり、図２は、図１の根止め金具による鉄筋の挟持固定状態を示す概略構成図であり、（ａ）は側面図、（ｂ）は正面図である。
【００２４】
本実施形態の根止め金具は、主に、基部１において一体で互いに平行に対面する一対の主体部２を形成する略逆Ｕ字状の一体構造を有する金具本体１０と、金具本体の基部１の内部形状より小さい側断面形状において互いに平行に対面する一対の鉄筋押さえ部７が形成された略逆Ｕ字状の楔部材６とから構成されるものである。
【００２５】
金具本体１０の前記一対の主体部２には、これら主体部が重なる方向の平面視で主体部の基部１から主体部開放方向に向けて前記基部１で連通する略Ｕ字形状の切欠き部３が鉄筋挟持部として形成されていると共に、この基部１における切欠き部３の縁部には主体部と一体の金属片部４が残されており、この金属片部４が、切欠き部３の前記連通部から底部側へ鉄筋２０を挿入できるように外側へ折り曲げられた状態で他の金属部材の一部を溶接固定するための溶接用片部を構成している。
【００２６】
このような金具本体１０においては、切欠き部３の底部に両主体部間に亘って固定対象の鉄筋２０が収まるように、鉄筋２０を挿入載置した状態とするかあるいは対象の鉄筋２０がコンクリート構造体の基礎などに既に固定されたものである場合は鉄筋２０に対して切欠き部３の底部を当接させるいうに金具本体１０を被せ置いた状態とした後、該鉄筋２０と金具本体の基部１の内面との間に金具本体１の一端縁側から楔部材６を挿入、打ち込むことによって、図１（ｂ）に示すように鉄筋２０が切欠き部３の底部側へ押圧され金具本体１と楔部材６との間に挟持固定される。
【００２７】
なお本実施形態においては、溶接用片部（金属片部）４を除く金具本体１０の外形状を、一対の主体部２が重なる方向の平面視（図２（ｂ）の正面図）で切欠き部３が一対の主体部２の中央に位置する左右対称形状とすることによって、金具本体１０の両端縁いずれの側からも楔部材６を挿入し打ち込めるものとした。この構成によって、作業者は作業し易い側から楔部材６を打ち込めるので、根止め金具１０の鉄筋２０への固定作業がより容易となる。
【００２８】
また本実施形態では、楔部材６は、側断面略逆Ｕ字形状として互いに平行に対面する一対の鉄筋押さえ部７を形成するものとし、これら鉄筋押さえ部７が重なる方向の平面視で、打ち込み時に衝撃を受けるべき尾端縁に対して金具本体１の基部内面に接する一方の長手縁が直角を成すと共に鉄筋２０に接する他方の長手縁、即ち鉄筋押さえ部７の開放側端辺が鋭角を成すという略直角三角形状を有しているものとした。
【００２９】
この楔部材６は、表面に凸部２１が形成された異形鉄筋に対してより強固な挟持固定ができる構成となっている。図２（ａ）の側面図、（ｂ）の正面図に示すように、楔部材６の互いに平行に対面する一対の鉄筋押さえ部７の鉄筋に接する開放側の各端部は、打ち込みに伴って鉄筋表面の凸部２１間の凹部へ落ち込み、この凹部へ嵌り込んだ状態で挟持固定状態となる。従って一対の鉄筋押さえ部７の鉄筋２０を押圧している端辺部分は鉄筋軸方向への外力が作用しても、近くの凸部２１に引っ掛かって楔部材６の移動が規制されるため、挟持固定は強固に維持される。またこのような効果は金具本体１側においても同様に生じ、切欠き部３の底部が鉄筋表面の凸部２１に引っ掛かり、鉄筋軸方向への金具本体１０のズレは困難となる。
【００３０】
本実施形態の根止め金具においては、前記溶接用片部４にセパレータ３０の一端部を溶接固定することによって金具本体１０にセパレータ３０を取り付けることができる。また、一対の主体部２に、予め雌ねじ穴５を形成しておくことによって、この雌ねじ穴５に螺合する雄ねじ加工が施されたセパレータ３０をねじ込むことによって該主体部２にセパレータ３０を取り付けることができる。これによって、セパレータ３０の取り付け部位の選択範囲が広くなり、コンクリート型枠の組立や作業性においてより都合の良い方を用いることができる。
【００３１】
また、溶接用片部４にセパレータ３０を取り付ける場合は、直接セパレータ３０を溶接固定する方法に限らず、図３に示すように、セパレータ３０の雄ねじ加工部が螺合するナット部材３１を溶接用片部４に溶接固定し、このナット部材３１にセパレータ３０をねじ込むことにより取り付けることができる。
【００３２】
このように、溶接用片部４は、セパレータ４に限らず溶接可能なものであれば様々な部材を金具本体１０に取り付けることができるため、本根止め金具は、セパレータはもちろん、その他、コンクリート型枠の組立において用いられる金属部品などの各種部品の取り付けに対応することができる。
【００３３】
さらにこの溶接用片部４は、金具本体１０の成型の際に鉄筋挟持部となる切欠き部３を形成するために切り取られる金属片を一部残すという簡単な工程によって設けることができるため、セパレータ等の金属部品の固定専用部としての新たな設計や製造工程をほとんど必要とせず容易に成型することができ、金具本体１０の大型化や部品点数の増加を生じることなく簡便な構成であると共に低コストで製造できる。
【００３４】
また、本根止め金具においては、金具本体１０の基部１は、溶接用片部４が設けられている側に対して切欠き部３をはさんで反対側の基部表面領域１ｂを利用することもできる。即ち、この基部表面領域１ｂの上にも種々の金属部品を溶接固定できるので、図４に示すようにこの基部表面領域１ｂの表面上にナット部材３１を溶接してセパレータ３０を取り付けることができる。しかも、この領域では取り付け向きが溶接用片部４に当接する小さい領域を除いてほぼ全周方向に自由に選択できるため、金具本体１０の主体部２に形成したねじ穴５や前記溶接片部４を利用した場合には鉄筋２０と平行な向きでセパレータ３０が取り付けられるのに対して、鉄筋２０と直行する方向へのセパレータ３０の取り付けも可能となり、セパレータ３０の取り付け部位の選択肢が多いだけでなく取り付け向きも適宜選択できる。
【００３５】
以上のように各種部品の取り付けに対応して使用できる本根止め金具は、金具自体を様々な状況で共通に使用できることからも、製品の量産に適しており、製造から保管管理、搬送、現場の使用に亘って、取り扱いが非常に簡便なものである。
【００３６】
【発明の効果】
以上説明したとおり、本発明のコンクリート型枠用根止め金具によれば、鉄筋への装着が容易で簡便な構成でありながら、セパレータに限らず各種金属部材の取り付けに対応することができるという効果がある。
【００３７】
また、少ない部品点数で部材取り付け金具として広く共通に利用できるため、量産に適しており、低コストで製品が提供できる。
【図面の簡単な説明】
【図１】本発明の一実施の形態によるコンクリート型枠用根止め金具の全体構成を示す概略斜視図であり、（ａ）は鉄筋およびセパレータの取り付け前状態、（ｂ）鉄筋及びセパレータの取り付け状態をそれぞれ示す概略構成図である。
【図２】図１の根止め金具による鉄筋の挟持固定状態を示す概略構成図であり、（ａ）は側面図、（ｂ）は正面図である。
【図３】本実施形態の根止め金具の鉄筋およびセパレータ取り付け用ナット部材の固定状態を示す概略斜視図である。
【図４】本実施形態の根止め金具における他のセパレータ取り付け状態を示す概略斜視図である。
【符号の説明】
１：金具本体の基部
１ｂ：基部領域
２：主体部
３：切欠き部
４：溶接用片部
５：雌ねじ穴
６：楔部材
７：鉄筋押さえ部
１０：金具本体
２０：鉄筋
２１：凸部
３０：セパレータ
３１：ナット部材
【図１】
0003579006.tif 000002
【図２】
0003579006.tif 000003
【図３】
0003579006.tif 000004
【図４】
0003579006.tif 000005